【事件の表示】
　特願２００３−　３９８０９「画像形成装置」拒絶査定不服審判事件〔平成１６年　９月　９日出願公開、特開２００４−２４９４８６〕について、次のとおり審決する。
【結　論】
　本件審判の請求は、成り立たない。
【理　由】
１　手続の経緯
　本願は、平成１５年２月１８日の出願であって、平成１７年２月１５日付け、平成２１年３月１３日付け、同年６月８日付け及び同年１０月１３日付けで手続補正がなされ、同年１２月２８日付けで拒絶査定がなされ、平成２２年４月１日に拒絶査定不服審判の請求がなされたものである。
　
２　本願発明 
　本願の請求項１ないし４に係る発明は、平成２１年１０月１３日付け手続補正によって補正された特許請求の範囲の請求項１ないし４に記載された事項によって特定されるものであるところ、請求項１の「印刷命令を受け付けられる」及び「特徴とすることを特徴とする」との記載はそれぞれ「印刷命令が受け付けられる」及び「特徴とする」の明らかな誤記であるから、請求項１に係る発明（以下「本願発明」という。）は、平成２１年１０月１３日付け手続補正によって補正された明細書及び図面の記載からみて、これらの誤記を訂正した次のとおりのものである。
　
「印刷命令を受け付ける印刷命令受付手段と、
　印刷データをビットマップデータに展開する印刷データ展開手段と、
　前記印刷命令受付手段により受け付けた印刷命令に従って前記印刷データ展開手段により展開したビットマップデータに基づいて印刷する印刷手段と、
　前記印刷データとして、識別情報が付加されたデモンストレーション用の印刷データと、ダイレクトプリント用の印刷データとの双方を同一媒体内に記録可能でコンピュータ読み取り可能な記録媒体を読み取る記録媒体読取手段と、
　前記記録媒体読取手段に前記記録媒体が読み取り可能な状態で装着されたことを検知する記録媒体装着検知手段と、
　前記記録媒体装着検知手段によって装着が検知された前記記録媒体から前記記録媒体読取手段によって読み取られた印刷データに前記識別情報が存する場合には、当該印刷データをデモンストレーション用の印刷データであると判断するとともに当該デモンストレーション用の印刷データを印刷するデモンストレーション印刷モードを設定する一方、読み取られた印刷データに前記識別情報が存しない場合には、当該印刷データをダイレクトプリント用の印刷データであると判断するとともに当該ダイレクトプリント用の印刷データを印刷する通常モードに設定するモード設定手段とを有し、
　前記印刷データ展開手段は、前記モード設定手段により前記デモンストレーション印刷モードが設定された場合には、前記印刷命令受付手段により印刷命令を受け付けたか否かに関わらず前記記録媒体から読み取られた前記デモンストレーション用の印刷データの一部または全部をビットマップデータに展開するものであり、
　前記印刷データ展開手段は、前記デモンストレーション印刷モードが設定された場合には、印刷を実行するか否かに関わらず前記デモンストレーション用の印刷データの一部または全部をビットマップデータに展開するものであり、
　前記印刷手段は、前記デモンストレーション印刷モードが設定された場合には、前記印刷命令受付手段により印刷命令を受け付けた際に、前記展開しておいたビットマップデータに基づいて印刷するものであり、
　前記印刷データ展開手段は、前記モード設定手段により前記通常モードが設定された場合には、前記印刷命令受付手段により印刷命令が受け付けられるのを待って前記ダイレクトプリント用の印刷データの一部または全部をビットマップデータに展開するものであり、
　前記印刷手段は、前記通常モードが設定された場合には、前記印刷命令受付手段により印刷命令を受け付けた後に展開が開始されたビットマップデータを印刷することを特徴とする、画像形成装置。」
　
３　刊行物の記載事項 
  原査定における拒絶の理由で引用した「本願の出願前に頒布された刊行物である特開平８−５８１６３号公報（以下「引用例」という。）」には、図とともに次の事項が記載されている（下線は審決で付した。）。
（１）「【０００１】
【発明の属する技術分野】本発明は、データを記憶し且つ該データを印刷するプリンタであって、該プリンタのオペレータ制御の下での記憶データの繰り返し印刷に関する。」
　
（２）「【０００２】
【従来の技術】多くのビジネスでは、
日常の業務において用いられる種々の用紙又は慣習的なフォーム（書式）を作り出すパーソナルプリンタ
自動車ローン等の銀行向け申込書、商店用クレジットカード等の百貨店向け申込書、或いは、公共の諸機関によって提供される
説明書等が含
フォームを作り出す度にパーソナルコンピュータ等のホストコンピュータをプリンタに接続する必要があ
【０００３】ホストコンピュータのフォーム作成工程への掛り合いはセットアップごとに変り得る。
セットアップ
単純なもの
フォームデータがプリンタ内に記憶されており、ホストコンピュータには特定のフォームを選択してプリンタにそのフォームを印刷するよう指示するに適切なコマンドを発することが要求され
フォームデータがホストコンピュータに記憶されている
タイプのセットアップの場合、ホストコンピュータは１つのフォームを選択して、そのフォームデータをプリンタに送る必要がある一方、プリンタはこのタイプの印刷ジョブをホストコンピュータから送られてくる他の印刷ジョブと区別しない
【０００４】現行下、
４０３７ページプリンタ(
「小売り(Retail)」モードと言われるモードがある。このモードにおけるプリンタは、単一の所定ドキュメントの印刷が実行されるただ１つの印刷機能である状態に据えられる。このドキュメントは記述的なパンフレットを構成している。こうして、小売り販売環境下における見込まれる買い手が、「１ページのデモンストレーションのためには何れかのキーを押すこと」を述べているプリンタの制御パネルでの入力によって、そのただ１つのフォームの印刷を起動することができる
【０００５】
このパンフレットの印刷には、該パンフレットは複雑であることと、該パンフレットの印刷毎に印刷に先行して準備されるべき最終ビットマップが要求されるので、長時間を費や
オペレータは、小売りモードにある時、パネル上のメニュー項目の選択或いはホストコンピュータからのプリンタデータの送信等の通常のプリンタ機能にアクセスすることができない
【０００６】現行下、この出願の譲受人によって１９９４年初頭以来、
４０３９プラスレーザプリンタ
制御パネルに対して多数の入力を為した後に
制御パネル上に複数フォームのリストを表示する（特に、此等入力は「メニュー」、「テスト」、「モア(More)」、並びに「印刷デモ」である）。それから印刷キーが押圧されて選択されたフォームが印刷される。選択されたフォームだけがそれからビットマップにフォーマットされる。それが印刷された後、制御パネルは正規印刷状態に戻されて、それと同一フォーム
印刷のために多数のキー入力や印刷されるドキュメントのフォーマットが必要とな
　
（３）「【００１０】
【課題を解決するための手段】本発明によるプリンタは、
印刷されるべき複数のドキュメントをそれらの高級言語で記憶するための不揮発性メモリ、
マイクロプロセッサや、
ロジックを含む標準的な電子データ処理によって制御され
１つは受信データによる印刷
正規モードであ
オペレータ
選択される
複数フォームモードを有し、記憶された複数ドキュメントの印刷を促進又は簡易化する
複数のドキュメントは、それらに関連すると共にそれらを種々複数のフォームとして指定しているデータを伴って不揮発性メモリ内に記憶される。第２モードの
複数フォームモードの始動に及んで、数々のフォームがビットマップ形態で準備される。利用可能なメモリによって許容される限り多くのフォームがこうして準備され
【００１１】こうしたビットマップ形態でそれらフォームは、
即時的な印刷のための準備
制御システム中の高速メモリ内にも記憶される。各フォームは、そのフォームを記述するデータの不揮発性メモリに対する入力の一部としての唯一独特の名前によって関連付けられて
オペレータパネル上に種々複数のフォームのそれぞれの名前を表示
１つのフォームの選択及びその印刷に及んで、再度表示をなし、その表示されたリストの内の少なくとも１つのフォームの即時的な印刷の準備に入る。好ましくは、この第２モードは、正規印刷が制御パネルから容易にアクセスされ得るサブモードと、先行技術に係る小売りモードに伴っているように正規印刷が妨げられるサブモードとを有
　
（４）「【００１２】
【発明の実施の形態】図１はこの発明に従ったプリンタ１を示しており、このプリンタは、ホストコンピュータの掛り合いを要求することがなく且つオペレータ入力での著しい遅延なしに、要求あり次第に種々数々のフォームを印刷する能力を有する。勿論、プリンタが何等かのホストコンピュータと接続されていない環境の下で機能するようなビジネスは一般に殆どない。もしあれば、その逆も真であり、多数のホストコンピュータが１つのプリンタに接続されている。
【００１３】しかしながら、プリンタ１が要求あり次第に種々数々のフォームを出力するためのモードであるとき、オペレータのホストコンピュータはプリンタ１とは独立して操作できる可能性があり、例えば、ホストコンピュータはオペレータのビジネス用の慣習的なフォームに関連したアプリケーション（プログラム）とは異なるアプリケーション（プログラム）に関連するデータの処理をすることができる可能性がある。このホストコンピュータを妨害することなしに又はホストコンピュータに割込みをかけることなしに、オペレータはプリンタ１でフォームを印刷する。プリンタ１はホストコンピュータとは独立してフォームを印刷する能力を有しており、１つのアプリケーションを終了するか或いは該アプリケーションに割込みをかけるかして他のアプリケーションを開始する必要性がないので、オペレータは膨大な時間を節約することができる。
【００１４】この能力は、例えば、将来の見通しあるローン申込者との面談の責務と共に日常のオフィス業務を有するローン職員にとって理想的であり得る。ローン申込者がその職員の机に歩み寄ったときに、もはやその職員にはローン申込書を印刷するために現在使用中のアプリケーションプログラムを中断することが要求されない。
【００１５】ページ記述情報は、通信ケーブル３から標準的な方法でプリンタ１で受信される。プリンタ１は、数々の像を１つの言語で記述する受信データから複数のビット像又はビットイメージを組み立てることによって正規の像形成をなすのに適切な如何なるプリンタであってもよい。例証的目的のためにプリンタ１は、ドラム７上で作動する光学系５を有する電子写真式プリンタを連想させるように図示されている。ドラム７は、光学系５によって画成された像を転写ステーション９でペーパー１１に転写する。その像は定着ステーション１３で、典型的には熱によって定着させられて、その仕上げられた印刷ページは出力トレイ１５に搬出される。
【００１６】プリンタ１内のデータプロセッサ１７はプリンタ１の操作を制御する。
データプロセッサ１７は、
マイクロプロセッサ
ケーブル３を通じて受信された高級言語での情報はデータプロセッサ１７によって翻訳されて、印刷されるページのビットマップ又はビット写像を作り出
【００１７】この発明の譲受人によって販売されている
４０３７ページプリンタは
要求あり次第の複数フォームモードの種々の要素を除いて、この発明がその現行の形態で採用し得るプリンタを代表している
事実、４０３７ページプリンタは
「小売り」モードを有する
【００１８】ケーブル３を通じて受信された情報は、他の情報と共に、データプロセッサ１７の制御下で、標準的なダイナミックランダムアクセスメモリ（ＤＲＡＭ）等の
揮発性メモリ１９内、
不揮発性メモリ２１
に記憶
メモリ２１
フラッシュメモリ
第３のメモリ２３
標準的なＮＶＲＡＭ
状態又はステータスや
プリンタ１のモードを画成する情報を含む制御情報を主に記憶するために
　
（５）「【００１９】プリンタ１は中央ディスプレイ２７を伴う制御パネル２５とオンオフ用パワースイッチ２９とを有する。図２はスイッチ２９によるオン操作前のディスプレイ２７の状態を示している。ディスプレイは空白状態である。ディスプレイはその右側に上から４０，４２，４４，４６の４つのボタンを有する。データプロセッサ１７によってのシステム制御は以下のものに応答して、オペレータの介在を許容する要求あり次第の複数フォームのモード（即ち、小売りモードではない）に入る。
１）上から３番目のキーである、キー４４がプリンタ１のオペレータによって押圧且つ保持される。
２）キー４４が押圧されたまま、スイッチ２９がパワーオン（電源投入）位置へ転向される。
【００２０】ひとたびこのモードになれば、オペレータはデータプロセッサ１７用の準備完了キー４８を単に押して、正規印刷モードに戻すこともできる（リセット入力等の他の制御もまた効力がある）。キー４８の押圧或いは他の優先入力がなければ、プリンタ１は以下でより詳しく説明する要求あり次第の複数フォームモードになる。
【００２１】制御パネル２５からこのフォームモードへの他の入力方法としては、データプロセッサ１７によるシステム制御が以下のものに応答する。
１）プリンタ１はスイッチ２９によってオン操作される。（プリンタ１は、スイッチ２９によるオフ操作直前時に正規印刷モードであったとき、その正規印刷モードに入る。もしもパワーオン時デフォルト（既定値）が正規印刷でなければ、この入力方法はプリンタ１が正規印刷モードになるまでは適応できない。）
２）それからディスプレイ２７は、図３に示されるようにキー４０に隣接して用語「セットアップ」を表示する。キー４０が押圧される。
３）そして、ディスプレイ２７は、図４に示されるようにキー４６に隣接して用語「複数フォーム」を表わす。キー４６が押圧される。プリンタ１は複数フォームモードに入る。
【００２２】上記のオン操作時のキー４４によって要求あり次第の複数フォームモードに入ったときにのみ、ＮＶＲＡＭ２３はそれをパワーオン時デフォルトとして記憶し、次のオン操作時にデータプロセッサはこのパワーオン時デフォルトに応答する。これは、スイッチ２９をオン操作すると共にキー４４を再度押圧することによって逆転し、そのときにＮＶＲＡＭ内のデータは変更されて、データプロセッサ１７の応答によってオン操作時のプリンタ１を正規印刷モードとするようなものとなる。
【００２３】図５は、
プリンタ１の不揮発性メモリ２１内に複数のフォームとして４つ以上のフォームが記憶されている
【００２４】スイッチ２９を用いたオン操作か或いは今説明したような制御パネル２５からかの何れか一方の方法で
複数フォームモードに入ると、データプロセッサ１７の制御下のプリンタ１は直ちに不揮発性メモリ２１内のフォームの正規のビットマッピングを実行し
ＤＲＡＭ１９内に記憶される。他の複数のフォームは同様にして、ディスプレイ２７上に現われている順序で、ビットマッピングされて、メモリ１９内の有効スペースが許容する限り記憶され
【００２５】此等の複数フォームの１つ、例えば図５に示された「被雇用者フォーム」を印刷するためには、そのフォームに隣接したボタンであるボタン４２がオペレータによって押される。データプロセッサ１７の制御下のプリンタ１は、用語「ビズィ(BUSY)」がディスプレイ２７上に現わされる正規の方式でそのフォームを印刷する。このモードにおいて、印刷を中断するオペレータ介在は、正規印刷のときのものと同程度にオペレータに可能である。
【００２６】被雇用者フォームは容易にアクセス可能なメモリ１９内にはない可能性があり（「キャッシュ」とはメモリ用語であり、その関連するデータプロセッサに容易にアクセス可能なものである）、その理由としては、メモリ１９がそれを、ディスプレイ２７のリスト上の第１のフォームである銀行口座取引明細を記憶した後では、記憶できない場合もあるからである。この場合、データプロセッサ１７が印刷のために要求されるビットマップの被雇用者フォームを準備する間、印刷は遅延される。複数フォームモードにおいて、１つのより好まれる選択肢は印刷されるべき完全に新しいフォームを記憶することであり、そして、被雇用者フォームが例証としてキャッシュメモリ１９に記憶される。これは１つの認識であり、１つのコピーの印刷はその同一フォームが次回に印刷されるフォームの最も有望な印刷されるべきフォームであることを提案しているという認識である。
【００２７】こうして、もしも被雇用者フォーム印刷後の次のキーが再度キー４２であって第２の被雇用者フォームを要求すれば、キャッシュメモリ１９内のビットマッピングされたデータから直ちに印刷が開始されることになる。第２のより好まれる選択肢は、何れのフォームが印刷されようが該印刷の直後にディスプレイ２７上の第１のフォームを再フォーマットすることである。これは、そのプリンタを多数のオペレータが利用する時のように、何れのフォームが直ちに印刷され得るかをオペレータは確実に知りたがっているという１つの認識である。
【００２８】
複数フォームモードの「小売り」サブモードは、
制御パネル２５から入らない
不揮発性メモリ２１内に入れられた所定コードによって入るだけで
ホストコンピュータでの特殊な入力による
データプロセッサ１７はオン操作でそのコードを認識し、そしてプリンタ１をその小売りモードにする
【００２９】ひとたび小売りモードになれば、次のようにして
正規印刷モードへ出る
　１）
キー４２が押圧保持される。　２）キー４２が押圧されている間に、スイッチ２９をパワーオン位置に転向させ
【００３０】
小売りモードを出るまで、オン操作毎にデータプロセッサ１７は不揮発性メモリ２１内に記憶されているデフォルトデータを参照することによって、プリンタ１をこの小売りモードにす
【００３１】
不揮発性メモリ２１内へのコード入力によって唯一入ることができることを除いて、ここに説明した小売りモードは「従来の技術」の題目の下で述べた先行技術に係るプリンタのそれと異なることはない
小売りモードに入るに及んで数々のフォームのビットマッピングが直ちに為されて、要求あり次第の複数フォームモードで説明したようにキャッシュメモリ１９内に記憶され
【００３２】数々のフォーム及びパンフレットの準備は、多数のアプリケーションプログラム及び形式によって行われることが可能であり、この発明の部分を形成しない。数々のフォームは、典型的には空白状態から、オペレータが完全に独自であるか或いは大部分が独自であるかのフォームをパーソナルコンピュータを用いて創造することによって準備される。代替的には、１つの原稿から読み込まれたフォームであってもよい。如何なる場合でも、典型的には高級言語でのフォームが実在することとなって、ケーブル３を通じての信号によってプリンタ１へ伝送されることが可能である。
【００３３】すぐ次に説明することになるそうした転送は従来技術であり、この発明の部分を形成しない。ホストコンピュータ用の特殊なソフトウェアユーティリティが転送を促進するために提供され得る。データプロセッサ１７の制御下でのプリンタ１は以下のコマンドに応答して、数々のフォームを不揮発性メモリ２１内へ入れる。
【００３４】１）スイッチ２９がオン操作されて、プリンタ１が正規印刷状態に為される。
２）プリンタ１の基本操作に適切な従来のドライバソフトウェアが、信号のケーブル３への伝送のためにホストコンピュータで採用される。
３）複数ファイルを記憶するための独自のコマンドがケーブル３に送られる。
４）１つのフォームを含むファイルを開けて命名するための独自コマンドが送られ、その名前がディスプレイ２７上に現われる。
５）アプリケーションプログラムによって準備されたフォームによって、「印刷からファイルへ」の入力がアプリケーションプログラムに為される。それでユーザはそのアプリケーションプログラムに正規の方法をもってドキュメントを印刷するように指示する。この印刷からファイルへの指定は、アプリケーションプログラムにホストコンピュータのハードディスク上にそのフォームを創造させることとなる。ひとたびこの操作が完了すれば、ユーザはこのアプリケーションプログラムを出て、そのファイルをプリンタへ送る。
６）そのファイルを閉じるために独自のコマンドが送られる。
７）そのフォームが不揮発性メモリ２１内に１つのフォームとして記憶されることを指定するために独自のコマンドが送られる。ステップ４では、割当てられた名前で、１つのフォームとしてそうして記憶されたデータを指定済みである。
【００３５】上述の工程は、不揮発性メモリ２１内に記憶されるべき各フォーム毎に繰り返される。
【００３６】ビットマップからの最終的な印刷は、好ましくは、傾斜ラインにおける階段状輪郭を削除すべく公知の技術によって修正が加えられ、これは最終ビットマップに基づく調整によっての解像度の向上として知られている。
【００３７】
【発明の効果】以上のように構成したことにより、フォーム印刷のモード切換え時間が短縮され、種々複数のフォームの即時的印刷が可能となるといった効果を奏するものである。」
　　
（６）上記記載事項（１）ないし（５）からみて、引用例には次の発明が記載されているものと認められる。
　
「自動車ローン等の銀行向け申込書、商店用クレジットカード等の百貨店向け申込書、或いは、公共の諸機関によって提供される説明書等を含む、日常の業務において用いられる種々の用紙又は慣習的なフォーム（書式）を作り出すパーソナルプリンタにおいて、
　従来は、フォームデータがホストコンピュータに記憶され、ホストコンピュータにおいて、１つのフォームを選択して、そのフォームデータをプリンタに印刷ジョブとして送る一方、プリンタでは、このタイプの印刷ジョブをホストコンピュータから送られてくる他の印刷ジョブと区別しないタイプのセットアップと、フォームデータがプリンタ内に記憶されており、ホストコンピュータにおいて、特定のフォームを選択してプリンタにそのフォームを印刷するよう指示するに適切なコマンドを発するタイプの単純なセットアップとがあり、いずれのセットアップにしても、フォームを作り出す度にパーソナルコンピュータ等のホストコンピュータをプリンタに接続する必要があり、４０３７ページプリンタでは、単一の記述的なパンフレットを構成するドキュメントの印刷が実行されるただ１つの印刷機能である状態に据えられる小売りモードを設け、小売り販売環境下における見込まれる買い手による「１ページのデモンストレーションのためには何れかのキーを押すこと」を述べているプリンタの制御パネルでの入力によって、そのただ１つのフォームの印刷を起動することができるようになったが、このパンフレットの印刷に先行して最終ビットマップを準備することが印刷毎に要求されるので印刷に長時間を費やし、さらに、小売りモードにある時、パネル上のメニュー項目の選択或いはホストコンピュータからのプリンタデータの送信等の通常のプリンタ機能にオペレータはアクセスできず、４０３９プラスレーザプリンタでは、制御パネルに対して多数の入力が為された後に制御パネル上に「印刷デモ」を含む複数のフォームのリストを表示し、それからフォームが選択されて印刷キーが押圧されると、その後、選択されたフォームだけがビットマップにフォーマットされて印刷され、それが印刷された後、制御パネルは正規印刷状態に戻るが、再度同一フォームの印刷のためには多数のキー入力や印刷されるドキュメントのフォーマットが必要となるものであったので、
　フォーム印刷のモード切換え時間を短縮し、種々複数のフォームの即時的印刷を可能とするため、
　印刷されるべき複数のドキュメントを高級言語で記憶するための不揮発性メモリと、マイクロプロセッサやロジックを含む標準的な電子データ処理による制御システムと、を備え、
　受信データにより印刷する第１モード及びオペレータに選択される第２モードを有し、
　第１モードは受信データにより印刷する正規印刷モードであり、
　第２モードは、記憶された複数ドキュメントの印刷を促進又は簡易化する複数フォームモードであって、前記複数のドキュメントは、それらに関連すると共にそれらを種々複数のフォームとして指定しているデータを伴って前記不揮発性メモリ内に記憶され、各フォームは、そのフォームを記述するデータの前記不揮発性メモリに対する入力の一部としての唯一独特の名前によって関連付けられており、該モードの始動に及んで、利用可能なメモリによって許容される限り多くのフォームがビットマップ形態で制御システム中の高速メモリ内に記憶されて即時的な印刷のための準備がなされ、オペレータパネル上に種々複数のフォームのそれぞれの名前を表示し、１つのフォームの選択及びその印刷に及んで、再度表示をなし、その表示されたリストの内の少なくとも１つのフォームの即時的な印刷の準備に入るものであり、
　第２モードは、正規印刷が制御パネルから容易にアクセスされ得る第１サブモードと、前記小売りモードと同様に正規印刷が妨げられる第２サブモードとを有し、該第２サブモードもまた小売りモードである小売りサブモードを有し、
　前記マイクロプロセッサとしてデータプロセッサ１７を設け、前記高速メモリとして揮発性メモリ１９を設け、前記不揮発性メモリとしてフラッシュメモリ２１を設け、
　前記データプロセッサ１７は、受信データにより印刷する正規印刷モードである第１モードでは、ケーブル３を通じて受信された高級言語での情報を翻訳して、印刷されるページのビットマップを作り出し、前記揮発性メモリ１９内に記憶し、複数フォームモードである第２モードに入ると、直ちに不揮発性メモリ２１内のフォームとして指定されたドキュメントのビットマッピングを実行して前記揮発性メモリ１９内に記憶するものであり、
　前記小売りサブモードには、制御パネル２５からは入れず、前記不揮発性メモリ２１内にホストコンピュータでの特殊な入力により入れられた所定コードによって入るだけにされており、プリンタの電源オン操作で、前記データプロセッサ１７が前記所定のコードを認識すると小売りサブモードになり、小売りサブモードを出るまで、電源オン操作毎に前記データプロセッサ１７は前記不揮発性メモリ２１内に記憶されているデフォルトデータを参照して該データが前記所定のコードである場合はプリンタを小売りサブモードにするとともに、小売りサブモードに入るに及んで数々のフォームとして指定されたドキュメントのビットマッピングを直ちに実行して前記揮発性メモリ１９内に記憶するようになっており、
　キー４２が押圧保持され、該キー４２が押圧されている間にパワースイッチ２９をパワーオン位置に転向させると、小売りサブモードから正規印刷モードである第１モードへ出るようになっている、
　プリンタ。」（以下「引用発明」という。）
　
４　対比 
　本願発明と引用発明とを対比する。
（１）引用発明の「プリンタ」、「『受信データ』及び『ドキュメント』」、「ビットマップ」、「『ビットマップを作り出し』及び『ビットマッピングを実行』」、「データプロセッサ１７」、「デモンストレーション」、「所定のコード」及び「正規印刷モードである第１モード」は、それぞれ、本願発明の「画像形成装置」、「印刷データ」、「ビットマップデータ」、「ビットマップデータに展開」、「印刷データ展開手段」、「デモンストレーション」、「識別情報」及び「通常モード」に相当する。
　
（２）引用発明の「画像形成装置（プリンタ）」は、ホストコンピュータが印刷ジョブとして送ってきたフォームデータやホストコンピュータが送ってきた他の印刷ジョブを区別せずに印刷するとともに、ホストコンピュータがプリンタ内に記憶しているフォームデータを選択してプリンタにそのフォームを印刷するよう指示するに適切なコマンドを送ることによりそのフォームを印刷するものであり、小売りモードでは「１ページのデモンストレーションのためには何れかのキーを押すこと」を述べているプリンタの制御パネルでの入力によってそのフォームの印刷を起動するものであるから、引用発明の「画像形成装置」はそのような印刷ジョブやコマンドあるいは制御パネルでの入力を受け付ける受付手段を備えていることが当業者に自明であり、該「受付手段」が本願発明の「印刷命令を受け付ける印刷命令受付手段」に相当し、上記「そのような印刷ジョブやコマンドあるいは制御パネルでの入力」が本願発明の「印刷命令」に相当する。
　
（３）引用発明の「印刷データ展開手段（データプロセッサ１７）」は、「印刷データ（受信データ）」により印刷する「通常モード（正規モードである第１モード）」では、ケーブル３を通じて受信された高級言語での情報を翻訳して、印刷されるページを「ビットマップデータに展開（ビットマップを作り出）」し、前記揮発性メモリ１９内に記憶し、複数フォームモードである第２モードに入ると、直ちに不揮発性メモリ２１内のフォームとして指定された「印刷データ（ドキュメント）」を「ビットマップデータに展開（ビットマッピングを実行）」して前記揮発性メモリ１９内に記憶するものであるから、本願発明の「印刷データ展開手段」と、「印刷データをビットマップデータに展開する」点で一致する。ここで、上記「『高級言語での情報』を『ケーブル３を通じて受信』」することも本願発明の「印刷命令を受け付ける」ことに相当し、その「高級言語での情報」も本願発明の「印刷命令」に相当する。
　したがって、引用発明の「印刷データ展開手段」と本願発明の「印刷データ展開手段」とは「通常モードが設定された場合には、前記印刷命令受付手段により印刷命令が受け付けられるのを待って印刷データの一部または全部をビットマップデータに展開するものである」点で一致する。
　
（４）引用発明の「画像形成装置（プリンタ）」は、受信データにより印刷する「通常モード（第１モード）」及びオペレータに選択される第２モードを有し、「通常モード」は受信データにより印刷する正規モードであり、第２モードは、記憶された複数ドキュメントの印刷を促進又は簡易化する複数フォームモードであり、かつ、「通常モード」で「受け付け（ケーブル３を通じて受信され）」た「印刷命令（高級言語での情報）」の印刷されるページを「ビットマップデータに展開（ビットマップを作り出）」して前記揮発性メモリ１９内に記憶し、第２モードに入ると、直ちに不揮発性メモリ２１内のフォームとして指定された「印刷データ（ドキュメント）」を「ビットマップデータに展開（ビットマッピングを実行）」して前記揮発性メモリ１９内に記憶するものである前記データプロセッサ１７を設けたものであるから、上記（２）及び（３）に照らせば、引用発明の「画像形成装置」は、本願発明の「前記印刷命令受付手段により受け付けた印刷命令に従って前記印刷データ展開手段により展開したビットマップデータに基づいて印刷する印刷手段」を有しているといえる。
　そして、引用発明の「印刷手段」と本願発明の「印刷手段」とは、上記（３）に照らせば、「前記通常モードが設定された場合には、前記印刷命令受付手段により印刷命令を受け付けた後に展開が開始されたビットマップデータを印刷する」点で一致する。
　
（５）引用発明において、「小売り販売環境下における見込まれる買い手による『１ページのデモンストレーションのためには何れかのキーを押すこと』を述べているプリンタの制御パネルでの入力によって、そのただ１つのフォームの印刷を起動することができるモード」で印刷するフォームがデモンストレーション用のフォームであることは当業者に自明であり、その印刷データはデモンストレーション用の印刷データといえ、そのデモンストレーション用の印刷データを印刷するモードはデモンストレーション印刷モードといえる。
　そうすると、引用発明の「小売りサブモード」も小売りモードであるから同様にデモンストレーション印刷モードであるといえる。
　したがって、引用発明の「小売りサブモード」は本願発明の「デモンストレーション印刷モード」に相当し、引用発明の「デモンストレーション印刷モード」と本願発明の「デモンストレーション印刷モード」とは「デモンストレーション用の印刷データを印刷する」点で一致する。
　また、上記「プリンタの制御パネルでの入力」は本願発明の「印刷命令」に相当する（上記（２）参照。）から、引用発明の「画像形成装置（プリンタ）」では、前記「デモンストレーション印刷モード」が設定された場合には、前記「印刷命令受付手段」（上記（２）参照。）により「印刷命令」が受け付けられた際に、印刷するようになっているといえる。
　
（６）引用発明の「画像形成装置（プリンタ）」では、「デモンストレーション印刷モード（小売りサブモード）」には、制御パネル２５からは入れず、不揮発性メモリ２１内にホストコンピュータでの特殊な入力により入れられた「識別情報（所定コード）」によって入るだけにされており、プリンタの電源オン操作で、前記「印刷データ展開手段（データプロセッサ１７）」が前記「識別情報」を認識すると「デモンストレーション印刷モード」になり、「デモンストレーション印刷モード」を出るまで、電源オン操作毎に前記「印刷データ展開手段（データプロセッサ１７）」は前記不揮発性メモリ２１内に記憶されているデフォルトデータを参照して該データが前記「識別情報」である場合はプリンタを「デモンストレーション印刷モード」にするとともに、「デモンストレーション印刷モード」に入るに及んで数々のフォームとして指定された「印刷データ（ドキュメント）」の「ビットマップデータへの展開（ビットマッピング）」を直ちに実行して前記揮発性メモリ１９内に記憶するようになっており、キー４２が押圧保持され、該キー４２が押圧されている間にパワースイッチ２９をパワーオン位置に転向させると、「デモンストレーション印刷モード」から「通常モード（正規印刷モードである第１モード）」へ出るようになっているから、引用発明の「画像形成装置（プリンタ）」は、「デモンストレーション印刷モード」及び「通常モード」を設定する設定手段を有しているといえ、この「設定手段」が本願発明の「設定手段」に相当する。
　そうすると、上記（５）も参照すれば、引用発明の「設定手段」と本願発明の「前記記録媒体装着検知手段によって装着が検知された前記記録媒体から前記記録媒体読取手段によって読み取られた印刷データに前記識別情報が存する場合には、当該印刷データをデモンストレーション用の印刷データであると判断するとともに当該デモンストレーション用の印刷データを印刷するデモンストレーション印刷モードを設定する一方、読み取られた印刷データに前記識別情報が存しない場合には、当該印刷データをダイレクトプリント用の印刷データであると判断するとともに当該ダイレクトプリント用の印刷データを印刷する通常モードに設定するモード設定手段」とは、「識別情報が存する場合には、デモンストレーション用の印刷データを印刷するデモンストレーション印刷モードを設定する一方、前記識別情報が存しない場合には、通常モードに設定する」点で一致する。
　してみると、引用発明の「印刷データ展開手段（データプロセッサ１７）」と本願発明の「前記モード設定手段により前記デモンストレーション印刷モードが設定された場合には、前記印刷命令受付手段により印刷命令を受け付けたか否かに関わらず前記記録媒体から読み取られた前記デモンストレーション用の印刷データの一部または全部をビットマップデータに展開するものであり、前記デモンストレーション印刷モードが設定された場合には、印刷を実行するか否かに関わらず前記デモンストレーション用の印刷データの一部または全部をビットマップデータに展開するものであり、かつ、前記モード設定手段により前記通常モードが設定された場合には、前記印刷命令受付手段により印刷命令が受け付けられるのを待って前記ダイレクトプリント用の印刷データの一部または全部をビットマップデータに展開するものである印刷データ展開手段」とは、上記（２）及び（３）も参照すると、「前記モード設定手段により前記デモンストレーション印刷モードが設定された場合には、前記印刷命令受付手段により印刷命令を受け付けたか否かに関わらず前記デモンストレーション用の印刷データの一部または全部をビットマップデータに展開するものであり、前記デモンストレーション印刷モードが設定された場合には、印刷を実行するか否かに関わらず前記デモンストレーション用の印刷データの一部または全部をビットマップデータに展開するものであり、かつ、前記モード設定手段により前記通常モードが設定された場合には、前記印刷命令受付手段により印刷命令が受け付けられるのを待って印刷データの一部または全部をビットマップデータに展開するものである」点で一致するといえる。
　したがって、引用発明の「印刷手段」（上記（４）参照。）と本願発明の「印刷手段」とは、上記（５）も参照すれば、「前記デモンストレーション印刷モードが設定された場合には、前記印刷命令受付手段により印刷命令を受け付けた際に、前記展開しておいたビットマップデータに基づいて印刷するものであ」る点でも一致する。
　
（７）上記（１）ないし（６）からみて、本願発明と引用発明とは、
「印刷命令を受け付ける印刷命令受付手段と、
　印刷データをビットマップデータに展開する印刷データ展開手段と、
　前記印刷命令受付手段により受け付けた印刷命令に従って前記印刷データ展開手段により展開したビットマップデータに基づいて印刷する印刷手段と、
　識別情報が存する場合には、デモンストレーション用の印刷データを印刷するデモンストレーション印刷モードを設定する一方、前記識別情報が存しない場合には、通常モードに設定するモード設定手段とを有し、
　前記印刷データ展開手段は、前記モード設定手段により前記デモンストレーション印刷モードが設定された場合には、前記印刷命令受付手段により印刷命令を受け付けたか否かに関わらず前記デモンストレーション用の印刷データの一部または全部をビットマップデータに展開するものであり、
　前記印刷データ展開手段は、前記デモンストレーション印刷モードが設定された場合には、印刷を実行するか否かに関わらず前記デモンストレーション用の印刷データの一部または全部をビットマップデータに展開するものであり、
　前記印刷手段は、前記デモンストレーション印刷モードが設定された場合には、前記印刷命令受付手段により印刷命令を受け付けた際に、前記展開しておいたビットマップデータに基づいて印刷するものであり、
　前記印刷データ展開手段は、前記通常モードが設定された場合には、前記印刷命令受付手段により印刷命令が受け付けられるのを待って前記印刷データの一部または全部をビットマップデータに展開するものであり、
　前記印刷手段は、前記通常モードが設定された場合には、前記印刷命令受付手段により印刷命令を受け付けた後に展開が開始されたビットマップデータを印刷する、画像形成装置。」の点で一致し、次の点で相違する。 
　　
相違点：
　本願発明では、前記識別情報が、前記デモンストレーション用の印刷データに「付加され」ており、前記通常モードは「ダイレクトプリント用の印刷データを印刷する」モードであり、前記画像形成装置が、「前記印刷データとして、識別情報が付加されたデモンストレーション用の印刷データと、ダイレクトプリント用の印刷データとの双方を同一媒体内に記録可能でコンピュータ読み取り可能な記録媒体を読み取る記録媒体読取手段」及び「前記記録媒体読取手段に前記記録媒体が読み取り可能な状態で装着されたことを検知する記録媒体装着検知手段」を有しており、前記モード設定手段は、前記デモンストレーション印刷モードの設定を「前記記録媒体装着検知手段によって装着が検知された前記記録媒体から前記記録媒体読取手段によって読み取られた印刷データに前記識別情報が存する場合」に、「当該印刷データをデモンストレーション用の印刷データであると判断する」とともに行う一方、前記ダイレクトプリント用の印刷データを印刷する通常モードの設定は、「読み取られた印刷データに前記識別情報が存しない場合」に、「当該印刷データをダイレクトプリント用の印刷データであると判断する」とともに行うのに対して、
　引用発明では、前記識別情報は印刷データに付加されておらず、前記通常モードはダイレクトプリント用の印刷データを印刷するモードではなく、そのような記録媒体読取手段もそのような記録媒体装着検知手段も有しておらず、したがって、前記モード設定手段は読み取られた印刷データについての判断を伴ってモードの設定をするものでもない点。
　
５　判断
　上記相違点について検討する。
（１）「メモリカードに、デモンストレーション用印字データ又は他のデータを記憶するとともに、記憶したデータの識別情報も併せて記憶する」ことを前提とし、「メモリカードがカード専用スロットに挿入された場合、メモリカードに記憶されている識別情報を参照してこのメモリカードに記憶されているデータがデモンストレーション用印字データであると判定した場合に、このカードに記憶されているデモンストレーション用印字データを印字することにより、上位装置を必要とせず様々なパターンの印字デモが行えるようにしたプリンタ。」は本願出願前に周知である（以下、「周知技術１」という。例．特開平３−２６４３８４号公報（「特許請求の範囲」、「産業上の利用分野」及び「発明の効果」の記載参照。）、特開平４−３７５７４号公報（１頁左下欄４行〜２頁左下欄最下行の記載参照。））。
  　
（２）「プリンタ部とメモリカードなどのリムーバブル外部記憶媒体の装着部とを有し、リムーバブル外部記憶媒体が前記装着部に装着されると、該リムーバブル外部記憶媒体に記憶されている印刷データを前記プリンタ部で印刷するものにおいて、印刷すべき印刷データの画像番号、出力枚数などのパラメータの入力をそのセットが必要な場合は行って、コピーキーや印刷指令キーなどによる操作者の入力を待って前記印刷を開始する画像形成装置。」は、本願出願前に周知である（以下、「周知技術２」という。例．特開平１０−２２６１１７号公報（特に、段落【００２６】〜【００３２】，【００４１】〜【００４４】及び図１，図２，図４，図１０参照。）、特開平４−２０５２７０号公報（特に、第４頁左下欄２行〜右下欄１２行及び図１，図５参照。））。
　
（３）カード専用スロットにメモリカードが挿入されたことを検知する機能を有する記憶媒体読取手段は本願出願前に周知である（以下「周知技術３」という。例．特開平１１−３３４１５７号公報（特に、段落【００１６】，【００１９】〜【００２４】及び図１，２参照。）、特開２０００−６２２９４号公報（特に、【請求項２】，段落【００１６】〜【００２９】及び図１，図２参照。））。
　
（４）周知技術１によれば、メモリカードをカード用スロットに挿入するだけで簡単にデモンストレーション用の印字データに多様性を持たせることができ（上記特開平３−２６４３８４号公報の「発明の効果」の記載及び上記特開平４−３７５７４号公報の「発明の効果」の記載参照。）、周知技術２によれば、プリンタに接続されていないＰＣ（パーソナルコンピュータ）で作成したデータを印刷する場合やリムーバブル外部記憶媒体に保存されているデータを印刷する場合に、ＰＣをプリンタの近くまで運んでケーブルで接続したり、ＰＣをネットワークでプリンタに接続したりする必要もなく、かつ、ＰＣをその印刷動作で占有することもなく、容易に印刷を実行できる（上記特開平１０−２２６１１７号公報の【０００２】ないし【０００６】及び【００８５】の記載参照。）ことは、いずれも、当業者に自明のことである。
　
（５）引用発明において、「デモンストレーション印刷モード（小売りサブモード）」を有する第２モードにおいて印刷される、デモンストレーション用の印刷データを含む複数の「印刷データ（ドキュメント）」は、それらを種々複数のフォームとして指定しているデータを伴って、「画像形成装置（プリンタ）」に備えられた不揮発性メモリ２１内に記憶されており、該「デモンストレーション印刷モード」に入るためにデータプロセッサ１７が認識しなければならない「識別情報（所定のコード）」も、前記不揮発性メモリ２１内に入れられており、前記「画像形成装置」は、前記第２モードの他に、受信データにより印刷する「通常モード（正規印刷モードである第１モード）」も有するものであるところ、引用発明において、前記「画像形成装置」にカード専用スロットにメモリカードが挿入されたことを検知する機能を有する記憶媒体読取手段を設け、周知技術１の「デモンストレーション用印字データ」及び「記憶したデータの識別情報」と同様に、前記不揮発性メモリ２１に記憶した「デモンストレーション用の印刷データ」及び「識別情報」に代えて、あるいは引用発明の前記不揮発性メモリ２１に記憶したものとは別の、「デモンストレーション用の印刷データ」及び「識別情報」をメモリカードに記憶し、プリンタに接続されていないＰＣで作成したデータはリムーバブル外部記憶媒体であるメモリカードに記憶するようにし、さらに他の印刷データを記憶したメモリカードがある場合にはそのカードも対象として、前記カード専用スロットにそれらのメモリカードを装着するようになすとともに、メモリカードがカード専用スロットに挿入されたことを前記記憶媒体読取手段が検知した場合、前記「モード設定手段」に、メモリカードに記憶されている「識別情報」を参照させて、このメモリカードに記憶されているデータが「デモンストレーション用の印刷データ」であるか否かを判定させ、前記「モード設定手段」が「デモンストレーション用の印刷データ」であると判定した場合には、前記「モード設定手段」に前記「デモンストレーション印刷モード」を設定させ、前記「印刷データ展開手段（データプロセッサ１７）」に前記「印刷命令受付手段」により印刷命令を受け付けたか否かに関わらずこのカードに記憶されている「デモンストレーション用の印刷データ」をビットマップデータに展開させ、前記「印刷命令受付手段」により印刷命令を受け付けた際に、前記「印刷手段」が前記展開しておいたビットマップデータに基づいて印字するようになして、引用発明と同様に上位装置を必要とせず、かつ、引用発明よりもより様々なパターンの印字デモが行え、また、簡単に前記「デモンストレーション用の印刷データ」に多様性を持たせる一方、前記「モード設定手段」が前記メモリカードに記憶されているデータが「デモンストレーション用の印刷データ」でないと判定した場合には、メモリカードに記憶されているデータのうちの印刷すべきデータの画像番号、出力枚数などのパラメータの入力をそのセットが必要な場合はオペレータに行わせて、オペレータによる印刷指令の入力があったときに、前記「印刷データ展開手段」が該当するデータをビットマップデータに展開し、前記「印刷手段」がその展開が開始されたビットマップデータを印刷するようにして、前記「画像形成装置」に接続されていないＰＣで作成したデータを印刷する場合やメモリカードに保存されているデータを印刷する場合に、ＰＣを前記「画像形成装置」の近くまで運んでケーブルで接続したり、ＰＣをネットワークで前記「画像形成装置」に接続したりする必要もなく、かつ、ＰＣをその印刷動作で占有することもなく、容易に印刷を実行できるようにすることは、当業者が周知技術１、周知技術２及び周知技術３に基づいて容易に想到することができた程度のことである。
　
（６）上記（５）における「メモリカードに記憶した、デモンストレーション用の印刷データ及び識別情報」、「メモリカード」、「カード専用スロットにメモリカードが挿入されたことを検知する機能を有する記憶媒体読取手段」及び「『オペレータによる印刷指令』に該当する『メモリカードに記憶されているデータのうちの印刷すべきデータ』」が、それぞれ、本願発明の「識別情報が付加されたデモンストレーション用の印刷データ」、「記録媒体」、「『記録媒体読取手段』及び『前記記録媒体読取手段に前記記録媒体が読み取り可能な状態で装着されたことを検知する記録媒体装着検知手段』」及び「ダイレクトプリント用の印刷データ」に相当するから、引用発明において、上記（５）のようにすることは、すなわち、引用発明において、前記画像形成装置に記録媒体読取手段及び前記記録媒体読取手段に記録媒体が読み取り可能な状態で装着されたことを検知する記録媒体装着検知手段を設け、識別情報が付加されたデモンストレーション用の印刷データを記録媒体に記憶させ、ダイレクトプリント用の印刷データも記録媒体に記憶させ、前記記録媒体読取手段に記録媒体を装着するようになすとともに、記録媒体が前記記録媒体読取手段に装着されたことを前記記録媒体装着検知手段が検知した場合、前記モード設定手段にその記録媒体に記憶されている識別情報を参照させて、この記録媒体に記憶されているデータが識別情報が付加されたデモンストレーション用の印刷データであるか否かを判定させ、前記モード判定手段がデモンストレーション用の印刷データであると判定した場合には、前記モード設定手段に前記デモンストレーション印刷モードを設定させ、前記印刷データ展開手段に前記印刷命令受付手段により印刷命令を受け付けたか否かに関わらずこの記録媒体に記憶されているデモンストレーション用の印刷データをビットマップデータに展開させ、前記印刷命令受付手段により印刷命令を受け付けた際に、前記印刷手段が前記展開しておいたビットマップデータに基づいて印字するようになし、前記モード設定手段がその記録媒体に記憶されているデータがデモンストレーション用の印刷データでないと判定した場合には、前記モード設定手段に、この記録媒体に記憶されているダイレクトプリント用の印刷データを、オペレータによる印刷指令の入力があったときに、前記印刷データ展開手段がビットマップデータに展開し、前記印刷手段がその展開が開始されたビットマップデータを印刷するモードを設定するようになすことである。
　ここで、識別情報が付加されたデモンストレーション用の印刷データも、ダイレクトプリント用の印刷データも「記録媒体（メモリカード）」に記憶させているから、「記録媒体（メモリカード）」は、「識別情報が付加されたデモンストレーション用の印刷データと、ダイレクトプリント用の印刷データとの双方を同一媒体内に記録可能でコンピュータ読み取り可能な記録媒体」であるといえ、上記「この記録媒体に記憶されているダイレクトプリント用の印刷データを、オペレータによる印刷指令の入力があったときに、前記印刷データ展開手段がビットマップデータに展開し、前記印刷手段がその展開が開始されたビットマップデータを印刷するモード」は、「ダイレクトプリント用の印刷データを印刷する通常モード」であるといえる。
　したがって、引用発明において、上記相違点に係る本願発明の構成となすことは、上記（５）からみて、当業者が周知技術１、周知技術２及び周知技術３に基づいて容易になし得た程度のことである。
　
（７）本願発明の奏する効果は、引用発明の奏する効果、周知技術１の奏する効果、周知技術２の奏する効果及び周知技術３の奏する効果から、当業者が予測できた程度のことである。 
 　 
（８）したがって、本願発明は、当業者が引用例に記載された発明、周知技術１、周知技術２及び周知技術３に基づいて容易に発明をすることができたものである。 
 　 
６　むすび 
　本願発明は、当業者が引用例に記載された発明、周知技術１、周知技術２及び周知技術３に基づいて容易に発明をすることができたものであるから、特許法第２９条第２項の規定により特許を受けることができない。 
　よって、結論のとおり審決する。